(57)【特許請求の範囲】
【請求項１】
被検体との間で超音波を送受信する超音波探触子と、該超音波探触子で計測された反射エコー信号に基づいて前記被検体の断層部位における組織の硬さ又は軟らかさを表す弾性画像を生成する弾性画像構成手段と、前記断層部位において前記組織の硬さ又は軟らかさに基づく階調情報を示す断層部位情報を生成する断層部位情報生成手段と、前記弾性画像構成手段によって生成された前記弾性画像と前記断層部位情報生成手段によって生成された前記断層部位情報を関連付けて表示器に表示制御する表示制御手段とを備えてなる超音波診断装置。
【請求項２】
前記被検体を模擬した生体模擬画像を生成する生体模擬画像生成手段を備え、
前記表示制御手段は、前記生体模擬画像に前記断層部位情報を重畳表示する請求項１の超音波診断装置。
【請求項３】
前記断層部位情報は、取得された前記弾性画像の設定領域における組織の硬さ又は軟らかさに応じて階調化された弾性マークである請求項１の超音波診断装置。
【請求項４】
前記断層部位情報は、取得された前記弾性画像の設定領域における組織の硬さ又は軟らかさに応じて階調化された弾性マークであり、
前記表示制御手段は、前記生体模擬画像上の前記弾性画像が取得された断層部位に、前記弾性マークを重畳して、リアルタイムに、又は一旦メモリに記録した後に表示器に表示する請求項２の超音波診断装置。
【請求項５】
前記表示制御手段は、前記生体模擬画像上に過去に重畳された弾性マークを残したまま、前記弾性画像が取得されるたびに、順次弾性マークを前記生体模擬画像上に重畳して表示する請求項４の超音波診断装置。
【請求項６】
前記生体模擬画像に重畳された弾性マークに対応する前記弾性画像が、その弾性マークに関連付けてメモリに記録されており、
前記表示制御手段は、インターフェースを介して前記弾性マークが選択されたら、選択された前記弾性マークに関連付けられた前記弾性画像を表示する請求項４の超音波診断装置。
【請求項７】
前記生体模擬画像に重畳された弾性マークに対応する前記弾性画像が取得されたときに前記超音波探触子の前記被検体との接触面に設けられた圧力センサで検出された出力推移が、その弾性マークに関連付けてメモリに記録されており、
前記表示制御手段は、インターフェースを介して前記弾性マークが選択されたら、選択された前記弾性マークに関連付けられた前記圧力センサの出力推移、前記圧力センサの出力推移から求められる圧力の平均振幅、及び前記圧力センサの出力推移から求められる圧力の平均値の少なくともいずれかを表示する請求項４の超音波診断装置。
【請求項８】
前記表示制御手段は、取得された前記弾性画像の設定領域における組織の硬さ又は軟らかさに応じて階調化された前記弾性マークのうち、あらかじめ設定された閾値以上、閾値未満、又は閾値範囲内で階調化された前記弾性マークのみを表示する請求項４の超音波診断装置。
【請求項９】
前記生体模擬画像生成手段は、３次元の生体模擬画像を生成し、前記表示制御手段は、３次元の生体模擬画像上に、前記弾性画像が取得されたときの前記被検体の断層部位の位置情報、及び前記被検体の断層部位における表面からの深度情報に基づいて、前記弾性マークを重畳して表示する請求項４の超音波診断装置。
【請求項１０】
前記超音波探触子で計測された反射エコー信号に基づいて血流情報を求め、前記被検体の断層部位の血流速度に応じて階調化された血流マークを生成する血流マーク生成手段を備え、
前記表示制御手段は、前記生体模擬画像上に、前記弾性マークに加えて、前記血流マークを重畳して表示する請求項４の超音波診断装置。
【請求項１１】
前記超音波探触子に装着されて探触子の３次元座標位置及び姿勢を検出する位置センサと、該位置センサからの出力に基づいて前記被検体の断層部位の位置情報を検出する断層部位検出手段とを備え、
前記弾性マークは、前記弾性画像が取得されたときに前記断層部位検出手段で検出された被検体の断層部位の位置情報、及び前記被検体の断層部位のＲＦ信号の強度があらかじめ設定された閾値より小さい領域に設定されるマスク領域における組織の硬さ又は軟らかさに応じて生成される請求項４の超音波診断装置。
【発明の詳細な説明】
【技術分野】
【０００１】
本発明は、超音波診断装置に関し、具体的には、被検体の組織の硬さ又は軟らかさを表す弾性画像を撮像して得られる様々な情報を表示器に表示する超音波診断装置に関する。
【背景技術】
【０００２】
超音波診断装置は、超音波探触子を介して被検体内部に超音波を送信するとともに、被検体内部から生体組織の構造に応じた超音波の反射エコー信号を受信し、例えば超音波断層像等の画像を生成して診断に用いるものである。
【０００３】
また、近年、例えば特許文献１などに記載されているように、手動又は機械的な方法により超音波探触子で被検体に圧迫を与えながらＲＦ信号フレームデータを取得し、取得時刻の異なる一対のＲＦ信号フレームデータに基づいて、圧迫により生じた生体各部の変位を求め、その変位データに基づいて生体組織の硬さ又は軟らかさを表す弾性画像を生成、或いは取得することが行われている。
【０００４】
ところで、引用文献２には、被検体の断層画像を表示するとともに、生体を模擬したイラスト（ボディマーク）画像上の断層画像を取得した位置に、探触子の走査位置を意味するプローブマークを重畳表示することが記載されている。この断層画像とプローブマークが重畳された生体模擬画像とを関連付けて記録すれば、超音波診断後に断層画像とその画像を取得した検査部位とを容易に関連づけることが可能になると考えられる。
【０００５】
【特許文献１】特開２０００−０６０８５３号公報
【特許文献２】特開２００７−２０２８２９号公報
【発明の開示】
【発明が解決しようとする課題】
【０００６】
しかしながら、特許文献２に記載された技術は、弾性画像の取得により得られる様々な情報を弾性画像或いは生体模擬画像などの画像と関連付けて表示することについては考慮されていない。
【０００７】
すなわち、弾性画像の取得の過程では、組織の硬さ又は軟らかさを表す弾性情報の他、例えば、どのような条件でその弾性画像が得られたのかを示す情報など、診断に有用な情報を得ることができるので、これらを弾性画像或いは生体模擬画像などの画像と適切に関連付けて表示すれば、診断に有効に活用できる可能性がある。
【０００８】
そこで、本発明は、弾性画像の取得により得られる様々な情報を、弾性画像或いは生体模擬画像と関連付けて表示できる超音波診断装置を実現することを課題とする。
【課題を解決するための手段】
【０００９】
上記課題を解決するため、本発明の超音波診断装置は、被検体との間で超音波を送受信する超音波探触子と、超音波探触子で計測された反射エコー信号に基づいて被検体の断層部位のＲＦ信号フレームデータを生成する整相加算手段と、取得時刻の異なる一対のＲＦ信号フレームデータに基づいて断層部位の組織の硬さ又は軟らかさを表す弾性画像を生成する弾性画像構成手段と、弾性画像が計測された断層部位の位置情報あるいは組織の硬さ又は軟らかさに基づく階調情報の少なくとも１つの情報を示す断層部位情報を生成する断層部位情報生成手段と、弾性画像構成手段によって生成された弾性画像と断層部位情報生成手段によって生成された断層部位情報を関連付けて表示器に表示制御する表示制御手段とを備えることを特徴とする。
【００１０】
このように、弾性画像と断層部位情報を関連付けて表示することにより、超音波撮像を行う検査者などは、この弾性画像が被検体のどの断層部位で生成された画像であるのかを把握したり、この弾性画像の設定された領域における硬さ又は軟らかさの階調情報を把握したりできるので、診断に有効に活用できる可能性がある。
【００１１】
また、被検体を模擬した生体模擬画像を生成する生体模擬画像生成手段を設けて、表示制御手段は、生体模擬画像に断層部位情報を重畳表示するよう構成するのが好ましい。
【００１２】
また、断層部位情報を、弾性画像が取得された断層部位であることを示す弾性画像取得マーク、及び取得された弾性画像の設定領域における組織の硬さ又は軟らかさに応じて階調化された弾性マークの少なくとも一方である模擬マークとして、この模擬マークを生体模擬画像上に重畳して、リアルタイムに、又は一旦メモリに記録した後に表示器に表示するのが好ましい。
【００１３】
すなわち、超音波撮像を行う検査者、或いは一旦記録された画像を参照して診断を行う診断者などは、弾性画像取得マークの重畳表示により、生体模擬画像を介して、視覚的に被検体のどの位置で弾性画像が取得されたのかを確認できる。また、弾性マークの重畳表示により、生体模擬画像を介して、弾性画像の取得断層部位における設定された領域、つまり関心組織の弾性情報を簡便に把握することができる。
【００１４】
また、例えば、検査者が被検体に対して一通り弾性画像の撮像を行って、弾性マークが重畳された生体模擬画像が記録されていれば、診断者がこれを参照した際に、被検体のどの部位を詳細に検査すべきかを容易に判断することができる。つまり、弾性マークは例えば色相、或いは数値などで階調化されているので、生体模擬画像上で比較的硬くて病変組織が存在している可能性のある箇所を一見して把握できる。そして、必要に応じて再び超音波撮像をするなどして詳細に検査して診断及び治療方針の決定などを行うことができる。
【００１５】
また、本発明の超音波診断装置の表示制御手段を、生体模擬画像上に過去に重畳された模擬マークを残したまま、弾性画像が取得されるたびに、順次模擬マークを生体模擬画像上に重畳して表示するよう構成することができる。例えば検査者が超音波撮像をしている際に、弾性画像が取得されるたびに全ての模擬マークを残しながら重畳表示していけば、画像が取得された部位を一見して把握できるので、画像の撮りこぼしを防止することなどが可能となる。
【００１６】
また、生体模擬画像に重畳された模擬マークに対応する弾性画像を、その模擬マークに関連付けてメモリに記録するよう構成するとともに、表示制御手段を、インターフェースを介して模擬マークが選択されたら、選択された模擬マークに関連付けられた弾性画像を表示するよう構成することが望ましい。
【００１７】
同様に、模擬マークに対応する弾性画像が取得されたときに超音波探触子の被検体との接触面に設けられた圧力センサで検出された出力推移を、その模擬マークに関連付けてメモリに記録しておき、インターフェースを介して模擬マークが選択されたら、選択された模擬マークに関連付けられた圧力センサの出力推移、圧力センサの出力推移から求められる圧力の平均振幅、及び圧力センサの出力推移から求められる圧力の平均値の少なくともいずれかを表示するよう構成することも可能である。
【００１８】
これらによれば、例えば、診断者が一旦メモリに記録された生体模擬画像を参照しながら、注目する生体模擬画像上の模擬マークを選択すれば、その断層箇所における弾性画像を表示したり、或いは弾性画像が取得されたときの圧力条件を表示したりすることができる。このように、診断者に対して多面的に情報を提供することにより、診断者は、弾性画像を参照してより詳細な情報を得たり、表示された圧力条件を参考に再現性よく弾性画像を再び取得したりすることができるので、診断に有効に活用される可能性がある。
【発明の効果】
【００１９】
本発明によれば、弾性画像の取得により得られる様々な情報を、弾性画像或いは生体模擬画像と関連付けて表示できる超音波診断装置を実現することができる。
【発明を実施するための最良の形態】
【００２０】
以下、本発明を適用してなる超音波診断装置の実施形態を説明する。なお、以下の説明では、同一機能部品については同一符号を付して重複説明を省略する。
【００２１】
図１は、本実施形態の超音波診断装置の全体構成を示すブロック図である。図１に示すように、超音波診断装置１には、被検体１０に当接させて用いる超音波探触子１２と、超音波探触子１２を介して被検体１０に時間間隔をおいて超音波を繰り返し送信する送信部１４と、被検体１０から発生する時系列の反射エコー信号を受信する受信部１６と、送信部１４と受信部１６を制御する送受信制御部１７と、受信部１６で受信された反射エコーを整相加算する整相加算部１８が備えている。
【００２２】
また、整相加算部１８からのＲＦ信号フレームデータに基づいて被検体の例えば白黒断層画像などの濃淡断層画像を構成する断層画像構成部２０と、断層画像構成部２０の出力信号を画像表示器２６の表示に合うように変換する白黒スキャンコンバータ２２が備えられている。
【００２３】
また、整相加算部１８から出力されるＲＦ信号フレームデータを記憶し、少なくとも２枚のフレームデータを選択するＲＦフレームデータ選択部２８と、被検体１０の生体組織の変位を計測する変位計測部３０と、変位計測部３０で計測された変位情報から歪み又は弾性率を求める弾性情報演算部３２と、弾性情報演算部３２で演算した歪み又は弾性率からカラー弾性画像を構成する弾性画像構成部３４と、弾性画像構成部３４の出力信号を画像表示器２６の表示に合うように変換するカラースキャンコンバータ３６が備えられている。
【００２４】
また、超音波診断装置を構成する各部に対して各種の制御信号を出力する画像制御部４４と、検査者からの指示を入力して画像制御部４４に出力するインターフェース部４２が備えられている。
【００２５】
ここで、超音波診断装置１について詳細に説明する。超音波探触子１２は、複数の振動子を配設して形成されており、被検体１０に振動子を介して超音波を送受信する機能を有している。送信部１４は、超音波探触子１２を駆動して超音波を発生させるための送波パルスを生成するとともに、送信される超音波の収束点をある深さに設定する機能を有している。また、受信部１６は、超音波探触子１２で受信した反射エコー信号について所定のゲインで増幅してＲＦ信号すなわち受波信号を生成するものである。整相加算部１８は、受信部１６で増幅されたＲＦ信号を入力して位相制御し、一点又は複数の収束点に対し超音波ビームを形成してＲＦ信号フレームデータを生成するものである。
【００２６】
断層画像構成部２０は、整相加算部１８からのＲＦ信号フレームデータを入力してゲイン補正、ログ圧縮、検波、輪郭強調、フィルタ処理等の信号処理を行い、断層画像データを得るものである。また、白黒スキャンコンバータ２２は、断層画像構成部２０からの断層画像データをデジタル信号に変換するＡ／Ｄ変換器と、変換された複数の断層画像データを時系列に記憶するフレームメモリと、制御コントローラを含んで構成されている。この白黒スキャンコンバータ２２は、フレームメモリに格納された被検体内の断層フレームデータを１画像として取得し、取得された断像フレームデータをテレビ同期で読み出すものである。
【００２７】
ＲＦフレームデータ選択部２８は、整相加算部１８からの複数のＲＦ信号フレームデータを格納し、格納されたＲＦ信号フレームデータ群から１組すなわち２つのＲＦ信号フレームデータを選択する。例えば、整相加算部１８から時系列すなわち画像のフレームレートに基づいて生成されるＲＦ信号フレームデータをＲＦフレームデータ選択部２８に順次記憶し、記憶されたＲＦ信号フレームデータ（Ｎ）を第１のデータとして選択すると同時に、時間的に過去に記憶されたＲＦ信号フレームデータ群（Ｎ−１、Ｎ−２、Ｎ−３…Ｎ―Ｍ）の中から１つのＲＦ信号フレームデータ（Ｘ）を選択する。なお、ここでＮ、Ｍ、ＸはＲＦ信号フレームデータに付されたインデックス番号であり、自然数とする。
【００２８】
そして、変位計測部３０は、選択された１組のデータすなわちＲＦ信号フレームデータ（Ｎ）及びＲＦ信号フレームデータ（Ｘ）から１次元或いは２次元相関処理を行って、断層画像の各点に対応する生体組織における変位や移動ベクトルすなわち変位の方向と大きさに関する１次元又は２次元変位分布を求める。ここで、移動ベクトルの検出にはブロックマッチング法を用いる。ブロックマッチング法とは、画像を例えばＮ×Ｎ画素からなるブロックに分け、関心領域内のブロックに着目し、着目しているブロックに最も近似しているブロックを前のフレームから探し、これを参照して予測符号化すなわち差分により標本値を決定する処理を行う。
【００２９】
弾性情報演算部３２は、変位計測部３０から出力される計測値、例えば移動ベクトルと、圧力計測部４６から出力される圧力値とから断層画像上の各点に対応する生体組織の歪みや弾性率を演算し、その歪みや弾性率に基づいて弾性画像信号すなわち弾性フレームデータを生成するものである。
【００３０】
このとき、歪みのデータは、生体組織の移動量例えば変位を空間微分することによって算出される。また、弾性率のデータは、圧力の変化を歪みの変化で除することによって計算される。例えば、変位計測部３０により計測された変位をＬ（Ｘ）、圧力計測部４６により計測された圧力をＰ（Ｘ）とすると、歪みΔＳ（Ｘ）は、Ｌ（Ｘ）を空間微分することによって算出することができるから、ΔＳ（Ｘ）＝ΔＬ（Ｘ）／ΔＸという式を用いて求められる。また、弾性率データのヤング率Ｙｍ（Ｘ）は、Ｙｍ＝（ΔＰ（Ｘ））／ΔＳ（Ｘ）という式によって算出される。このヤング率Ｙｍから断層画像の各点に相当する生体組織の弾性率が求められるので、２次元の弾性画像データを連続的に得ることができる。なお、ヤング率とは、物体に加えられた単純引張り応力と、引張りに平行に生じるひずみに対する比である。
【００３１】
弾性画像構成部３４は、フレームメモリと画像処理部とを含んで構成されており、弾性情報演算部３２から時系列に出力される弾性フレームデータをフレームメモリに確保し、確保されたフレームデータに対し画像処理を行うものである。
【００３２】
カラースキャンコンバータ３６は、弾性画像構成部３４からの弾性フレームデータに色相情報を付与する機能を有したものである。つまり、弾性フレームデータに基づいて光の３原色すなわち赤（Ｒ）、緑（Ｇ）、青（Ｂ）に変換するものである。例えば、歪みが大きい弾性データを赤色コードに変換すると同時に、歪みが小さい弾性データを青色コードに変換する。      
また、切替加算部２４は、フレームメモリと、画像処理部と、画像選択部とを備えて構成されている。フレームメモリは、白黒スキャンコンバータ２２からの断層画像データと、カラースキャンコンバータ３６からの弾性画像データと、後述する生体模擬画像制御部４４から出力される画像データを格納するものである。また、画像処理部は、フレームメモリに確保された断層画像データと弾性画像データとを合成割合を変更して合成する機能を有するものである。合成画像の各画素の輝度情報及び色相情報は、白黒断層画像とカラー弾性画像の各情報を合成割合で加算したものとなる。さらに、画像選択部は、フレームメモリ内の断層画像データ、弾性画像データ、画像処理部の合成画像データ、及び生体模擬画像データのうちから画像表示器２６に表示する画像を選択するものである。
【００３３】
続いて、本実施形態の超音波診断装置の特徴部について説明する。探触子１２には、例えば磁気センサ、角速度センサ、赤外線センサなどの位置情報センサ４８が設けられている。また、位置情報センサ４８の出力に基づいて探触子の３次元座標位置を算出する座標演算部５０と、被検体の断層部位の組織が変位していることを検出する組織変位検出部５１と、座標演算部５０の出力及び組織変位検出部５１の出力に基づいて弾性画像取得マーク、或いは弾性マークなどを生成するマーク作成部５２が備えられている。
【００３４】
さらに、被検体を模擬したイラストもしくは写真などの生体模擬画像を生成するとともに、生体模擬画像上の弾性画像が取得された位置にマーク作成部５２で生成された弾性画像取得マーク、或いは弾性画像の設定領域における組織の硬さ又は軟らかさに応じて階調化された弾性マークなどの模擬マークを重畳する生体模擬画像構成部５４と、弾性画像が取得された被検体の断層部位の位置情報や弾性情報などの情報を保存するメモリ５６が備えられている。
【００３５】
続いて、被検体の断層部位の組織が変位していることを検出する組織変位検出部５１の各実施例について説明する。
【００３６】
（組織変位検出の第１実施例）
本実施例は、探触子を用いて被検体に対して圧迫／解除動作を行って弾性画像を生成する場合に適用される例である。例えば、探触子を被検体に当てて一定の応力を与えた状態から、微小な歪み変化が生じるように圧迫／解除の動作を繰り返し行いながら弾性画像を生成すると、探触子に装着された位置情報センサ４８で検出された信号が座標演算部５０に入力され、座標演算部５０において、図２に示すようなＸ軸Ｙ軸Ｚ軸の３次元の座標軸にて分割処理される。図２は、座標演算部５０から出力される探触子の３次元座標のＸ軸，Ｙ軸，Ｚ軸の各座標軸における探触子の座標位置の変化の一例を示す図である。
【００３７】
本実施例では、Ｘ軸における座標６１、及びＹ軸における座標６２は、ほぼ一定で変位しておらず、Ｚ軸における座標６３は、周期的に上下に変位している。組織変位検出部５１は、座標演算部５０からの出力を監視し、本実施例のようにＺ軸における探触子の座標位置の周期的な変化を検出することにより、探触子が周期的に動いている、つまり被検体に対して周期的な圧迫／解除を行っていると判断する。これにより、断層部位の組織が変位していることを自動で検出することができ、その結果、適切な弾性画像が取得されたことを検出することができる。
【００３８】
なお、本実施例では、例えばベッドに横たわった被検体に対してほぼ鉛直方向に探触子を圧迫／解除した場合を想定しているため、Ｚ軸方向のみ探触子の座標が周期的に変動している。したがって、３つの座標軸の取り方によっては、座標が変動する軸は様々に異なる。例えば、３つの座標軸のうち、いずれか１軸のみに周期的な変化が現れる場合、いずれか２軸に周期的な変化が現れる場合、３軸全てに周期的な変化が現れる場合も考えられる。要は、３つの座標軸のうち、少なくとも組織の変位方向に対応するいずれかの座標軸における座標の周期的な変化が検出されれば、適切な弾性画像が取得されたことを検出することができる。
【００３９】
（組織変位検出の第２実施例）
本実施例は、探触子を用いて被検体に対して圧迫／解除動作を行って弾性画像を生成する場合、或いは、被検体の例えば拍動などにより組織に周期的に圧力変化が加わることを利用して弾性画像を生成する場合のいずれにも適用される例である。
【００４０】
この例では、まず、図３左側に示すように、生成された断層画像に追跡点６５，６６が設定される。なお、追跡点の設定は、例えば画像表示器２６に断層画像を表示して、インターフェース部４２を介して検査者が設定してもよいし、断層画像上の任意の複数の追跡点が自動で設定されるように構成してもよい。
【００４１】
続いて、これらの追跡点６５，６６が、例えば変位計測部３０などによりブロックマッチング法など種々の手法を利用してトラッキングされて移動先が求められる。組織変位検出部５１は、追跡点６５，６６間の組織の変位方向に対応する方向の距離の変位を計測する。例えば本実施例は、上下方向に組織が変位している場合を例に挙げており、この場合は、図３右側に示すように変位の計測値６７が周期的に変化する。組織変位検出部５１は、この周期的な変化を検出することにより断層部位の組織の変位を検出することができる。
【００４２】
また、本実施例では、追跡点を２点設定したが、これに限らず３点以上追跡点を設定するとともに、これらの任意の２点間の距離の変位を計測して、変位の計測値の周期的に変化を検出してもよい。また、追跡点間の距離ではなく、例えば１点の追跡点を設定して、この追跡点の位置の組織の変位方向に対応する方向の周期的な変化を検出することにより、断層部位の組織の変位を検出することも可能である。
【００４３】
本実施例は、心臓や血管など内圧の変化が生じる組織や体の動きを利用した方が安定した弾性画像を得やすい場合に特に有効である。つまり、この場合、探触子により体表から圧迫を行わないため、探触子位置を固定しており探触子位置は動かないが、断層画像上の追跡点の組織の変位方向に対応する方向の変位が周期的であれば、断層部位の組織が変位していることを検出することができるので有効である。
【００４４】
（組織変位検出の第３実施例）
本実施例は、探触子を用いて被検体に対して圧迫／解除動作を行って弾性画像を生成する場合、或いは、被検体の例えば拍動などにより組織に周期的に圧力変化が加わることを利用して弾性画像を生成する場合のいずれにも適用される例である。
【００４５】
本実施例では、図４左側に示すようにＲＦフレームデータ選択部２８で選択された一対のＲＦ信号フレームデータ７０，７１の相互相関演算が、相関演算手段としての機能を有する変位計測部３０で行われて組織変位検出部に入力される。組織変位検出部５１は、演算された相関係数（相関値）に基づいて、断層部位の組織の変位を検出する。つまり、組織変位検出部５１は、相関演算手段から出力される相関係数を監視し、図４右側に示すように、相関係数があらかじめ設定された閾値より大きくなった場合に、断層部位の組織の変位を検出する。
【００４６】
本実施例は、例えば断層画像を得るために探触子を適宜移動させているようなときは、一対のＲＦ信号フレームデータの相関係数は比較的低くなるのに対して、探触子により被検体に圧迫／解除動作を行いながら弾性画像を生成しているとき、或いは被検体の拍動などによる圧力変化を利用して弾性画像を生成しているときには、相関値が比較的高くなることを利用するものである。つまり、例えば適度な圧迫が得られた、或いは適度な変位を検出できた際には、ＲＦ信号フレームデータ間での相関度は高まるので、これを検出することにより、断層部位の組織が変位していること、及び弾性画像が取得されていることを検出することができる。
【００４７】
ただし、例えば組織の内部圧力の変化が生じないような断層部位を撮像しており、かつ探触子位置が固定されている場合には、一対のＲＦ信号フレームデータがほぼ一致して相関係数がほぼ上限（例えば１．０）を示すので、このような場合は、組織変位の検出から適宜除外することができる。
【００４８】
（組織変位検出の第４実施例）
本実施例は、探触子を用いて被検体に対して圧迫／解除動作を行って弾性画像を生成する場合、或いは、被検体の例えば拍動などにより組織に周期的に圧力変化が加わることを利用して弾性画像を生成する場合のいずれにも適用される例である。
【００４９】
本実施形態の超音波診断装置のように、圧力計測部４６を備えている場合、組織変位検出部５１は、圧力計測部４６の計測値を取り込み、図５に示すような圧力の計測値７３の周期的な変化により断層部位の組織の変位を検出する。
【００５０】
本実施例は、探触子により圧迫／解除動作を行う場合、及び被検体の内部圧力の変化を利用する場合のいずれであっても、断層部位の組織に変位が生じている場合には、内部圧力が変動し、これが圧力計測部４６で計測されることを利用するものである。
【００５１】
（組織変位検出の第５実施例）
以上の実施例では、組織の変位を超音波診断装置によって自動で検出して弾性画像の取得を検出するものであるが、これには限られない。例えば、第５実施例は、検査者が、弾性画像の撮像を行いながらリアルタイムに画像表示器２６を参照して、超音波探触子１２或いはインターフェース部４２などを介して手動で弾性画像の取得を指示する例である。組織変位検出部５１は、超音波探触子１２或いはインターフェース部４２を介して入力される信号により弾性画像が取得されたことを検出することとなる。
【００５２】
超音波探触子１２を用いて弾性画像の取得を指示することにより弾性画像が取得されたことを検出する場合、図６に示すように、超音波探触子１２の例えば把持部などに、検査者が押し下げ操作可能なボタン状の組織変位検出スイッチ７４を設ける。検査者は、画像表示器２６を参照しながら、適切な圧迫による適切な弾性画像が生成されていると判断したら組織変位検出スイッチ７４を押し下げ操作する。組織変位検出部５１は、この押し下げ操作に起因する信号を受信して断層部位の組織の変位及び弾性画像が取得されたことを検出する。組織変位検出スイッチは、ボタンスイッチに限らず検査者が任意に操作可能なものであればよい。
【００５３】
また、例えばインターフェース部４２としてマイクロフォンなどの音声受信器を設けて、これを利用して弾性画像の取得を指示することにより弾性画像が取得されたことを検出することができる。つまり、あらかじめ定められた特定のフレーズの音声信号をメモリに記録しておき、組織変位検出部５１は、マイクロフォンで受信された音声信号と記録された音声信号とのパターン認識などを用いて、記録された音声信号に一致、或いは類似するなど対応する音声信号がマイクロフォンで受信されたことにより断層部位の組織の変位及び検出弾性画像が取得されたことを検出する。
【００５４】
この場合、音声誤認識に起因して不要な弾性画像を取得することを防止するために、音声認識により弾性画像が取得される旨を画像表示器２６に表示して、実行するか否かを、検査者に音声又は手動操作によって決定するよう促すようにしてもよい。
【００５５】
以上説明したような態様のいずれか、或いは適宜これらを組み合わせることにより、組織変位検出部５１で断層部位の組織の変位が検出される。断層部位の組織の変位が検出された後は、表示制御手段としての機能を有するマーク作成部５２、生体模擬画像構成部５４などにより画像表示器２６に生体模擬画像及びこれに重畳される模擬マークなどが表示される。
【００５６】
以下、マーク作成部５２、生体模擬画像構成部５４などにより画像表示器２６に表示される生体模擬画像及びこれに重畳される模擬マークなどの表示態様の実施例を説明する。なお、以下の説明では、生体模擬画像及びこれに重畳される模擬マークなどの表示のみについて説明するが、断層画像、弾性画像などと適宜組み合わせて画像表示器２６に表示することができる。
【００５７】
（表示の第１実施例）
本実施例は、生体模擬画像上に、弾性画像が取得された断層部位を示す弾性画像取得マークを重畳表示する例である。なお、本実施例及び以下の実施例では、生体模擬画像として被検体の乳房を模擬的にイラストした画像を適用した場合を示す。
【００５８】
まず、図７を用いて超音波診断装置の全体動作、及び特徴部の動作について説明する。図７に示すように、通常の検査のルーチンでは、探触子操作を行いながら（Ｓ７５）超音波が送受され、上述したように断層画像及び弾性画像などの超音波画像の処理が行われて（Ｓ７６）、これらの画像が表示される（Ｓ７７）。
【００５９】
一方、座標演算部５０により座標演算が行われて（Ｓ７８）、被検体の断層部位の位置情報が取得されるとともに、組織変位検出部５１により断層部位の組織の変化が検出されて（Ｓ７９）、マーク作成部５２に入力される。そして、マーク作成部５２により、組織変位検出部５１で組織の変位が検出されたときの座標演算部５０からの出力、つまり被検体の断層部位の位置情報に基づいて弾性画像取得マークが生成される（Ｓ８０）。
【００６０】
生体模擬画像構成部５４は、マーク作成部５２で生成された弾性画像取得マークと、メモリ５６に保存されている弾性画像が取得された被検体の断層位置情報及び弾性画像が得られる過程で得られた圧力計測部４６の出力推移などの情報とを適宜用いて、生体模擬画像上の該当位置に弾性画像取得マークを重畳して生体模擬画像を構成する（Ｓ８１）。これにより、超音波画像と模擬マークが重畳された生体模擬画像が適宜組み合わされて画像表示器に表示される。
【００６１】
本実施例では、超音波撮像を行って弾性画像が取得されたら、図８に示すように、生体模擬画像８５上の該当位置に、弾性画像が取得された断層部位を示す弾性画像取得マーク８６が重畳されて表示される。なお、同図に示すように、弾性画像取得マーク８６は、超音波探触子の走査位置と方位の情報を含んでいる。
【００６２】
これを超音波撮像中にリアルタイムに表示することにより、超音波撮像を行う検査者は、生体模擬画像を参照して、視覚的に被検体のどの位置で弾性画像が取得されたのかを確認できる。また、弾性画像取得マーク８６が重畳された生体模擬画像８５をメモリに保存すれば、保存された画像を参照して診断を行う診断者などが、生体模擬画像を参照して、視覚的に被検体のどの位置で弾性画像が取得されたのかを確認できる。
【００６３】
また、例えば検査者が図８のＦｒａｍｅＡ〜Ｆに示すように弾性画像を取得している場合、リアルタイムに弾性画像取得マーク８６を１つずつ表示してもよいし、同図右側に示すように、生体模擬画像上に過去に重畳された弾性画像取得マーク８６を残したまま、弾性画像が取得されるたびに、順次マークを生体模擬画像上に重畳して表示するようにしてもよい。これによれば、被検体の弾性画像が取得された部位を一見して把握できるので、画像の撮りこぼしを防止したり、同一部位を重複して撮像する無駄を省いたりすることが可能となる。
【００６４】
なお、座標演算部５０は、被検体の例えば乳頭などの特定部位を超音波撮像しながら、位置情報センサにより検出される３次元座標の座標系と、被検体の座標系との位置合わせを行うことにより、生体模擬画像上の超音波撮像位置を特定することができる。
【００６５】
（表示の第２実施例）
本実施例は、生体模擬画像上に重畳された弾性画像取得マークを介して、その弾性画像が取得される過程において圧力計測部４６で計測された圧力等の情報を表示する例である。本実施例では、生体模擬画像８５に弾性画像取得マーク８６が重畳されるとともに、各弾性画像取得マークに対応する弾性画像が取得されたときに圧力計測部４６で検出された圧力の出力推移が、それぞれ各弾性画像取得マーク８６に関連付けてメモリに記録されていることを前提としている。
【００６６】
図９は、表示の第１実施例で生成された生体模擬画像を検査者が超音波撮像中に参照している状態や、検査されてメモリに記録された後に、診断者などが参照している状態を想定している。例えば、マウス、キーボード、トラックボール、画面のタッチセンサなどのインターフェースを介して診断者などが任意の弾性画像取得マークを選択したら、選択されたマークに関連付けられた圧力センサの出力推移のグラフ、圧力センサの出力推移から求められる圧力の平均振幅、及び圧力センサの出力推移から求められる圧力の平均値などを含んだ圧力状態表示８７がなされる。
【００６７】
弾性画像の取得に関しては、例えば探触子で圧迫する場合であれば、圧迫が適度に行われているかが非常に重要であり、圧迫の程度が異なれば、所望の弾性画像を取得することが困難になる。この点、本実施例によれば、例えば、診断者が一旦メモリに記録された生体模擬画像を参照しながら、注目する弾性画像取得マークを選択すれば、その断層箇所において弾性画像が取得されたときの圧力条件などを表示したりすることができる。したがって、これを参照しながら同様な圧迫条件になるように探触子を操作することなどが可能になる。このように、診断者に対して多面的に情報を提供することにより、診断者は、表示された圧力条件などを参考に再現性よく弾性画像を再び取得したりすることができるので、診断に有効に活用される可能性がある。
【００６８】
なお、弾性画像取得マークの選択は、インターフェースからの入力に限らず、設定された時間おきに切り替わるように自動設定するなどしてもよい、また、本実施例で示した情報の他、弾性画像の取得の過程で得られる情報を適宜メモリに記憶しておき、マークの選択に応じて表示してもよい。また、複数の弾性画像取得マークを選択し、複数の詳細情報を表示させたり、グラフ等を重ね合わせて表示させたりしてもよい。
【００６９】
（表示の第３実施例）
本実施例は、生体模擬画像上に、弾性画像が取得された断層部位における設定領域、つまり関心のある組織（腫瘍）の硬さ又は軟らかさを表す弾性マークを重畳表示する例である。
【００７０】
まず、図１０を用いて超音波診断装置の全体動作、及び特徴部の動作について説明する。図１０に示すように、通常の検査のルーチンでは、探触子操作を行いながら（Ｓ９０）超音波が送受され、上述したように断層画像及び弾性画像などの超音波画像の処理が行われて（Ｓ９１）、これらの画像が表示される（Ｓ９２）。
【００７１】
一方、座標演算部５０により座標演算が行われて（Ｓ９３）、被検体の断層部位の位置情報が取得されるとともに、組織変位検出部５１により断層部位の組織の変化が検出されて（Ｓ９４）、マーク作成部５２に入力される。さらに、超音波撮像により得られた断層画像と弾性画像の情報がマーク作成部５２に入力される。そして、マーク作成部５２により、組織変位検出部５１で組織の変位が検出されたときの座標演算部５０からの出力、つまり被検体の断層部位の位置情報と、弾性画像に設定された領域の関心組織の硬さ又は軟らかさを表す弾性情報とに基づいて弾性マークなどの模擬マークが生成される（Ｓ９５）。
【００７２】
生体模擬画像構成部５４は、マーク作成部５２で生成された弾性マークと、メモリ５６に保存されている弾性画像が取得された被検体の断層位置情報、弾性画像の設定領域における組織の弾性情報、及び弾性画像が得られる過程で得られた圧力計測部４６の出力推移などの情報とを適宜用いて、生体模擬画像上の該当位置に模擬マークを重畳して生体模擬画像を構成する（Ｓ９６）。これにより、超音波画像と模擬マークが重畳された生体模擬画像が適宜組み合わされて画像表示器に表示される。
【００７３】
これにより、図１１に示すような表示がされる。つまり、弾性画像が取得されたら、生体模擬画像８５上の該当位置に、弾性画像の設定領域における組織（腫瘍）の硬さ又は軟らかさに応じて階調化された円形の弾性マーク１０１が重畳されて表示される。また、これと併せて階調化された色相と、組織の硬さ又は軟らかさの程度を関連付けて表す弾性スケールバー１０２が表示される。
【００７４】
なお、表示の第１実施例と同様に、弾性画像が取得されたら、リアルタイムに弾性マーク１０１を１つずつ表示してもよいし、生体模擬画像上に過去に重畳された弾性マーク１０１を残したまま、弾性画像が取得されるたびに、順次マークを生体模擬画像上に重畳して表示するようにしてもよい。また、本実施例では、色相階調した例を挙げたが、その他例えば数値や輝度などにより組織の硬さ又は軟らかさを階調化して表示してもよい。
【００７５】
また、本実施例では、生体模擬画像上に模擬マークを重畳表示する例を示したが、断層画像や弾性画像の一部に重畳させるなど関連付けて表示してもよい。
【００７６】
続いて、弾性マーク１０１の生成に関して図１２を用いてさらに詳細に説明する。弾性マーク１０１は、取得された弾性画像の全体の弾性情報ではなく、弾性画像の設定された領域、つまり腫瘍などの関心組織の弾性情報を表すものである。そのため、弾性画像の中から関心組織の領域を設定する必要がある。
【００７７】
この点、図１２に示すように、白黒断層画像１１０上では腫瘍などの関心組織は低エコー（反射レベルが低い）を示すことを利用する。つまり、まず、白黒断層画像に対して２値化処理を行い、低エコーの領域をマスク領域として設定することにより腫瘍の位置もしくは分布を検出する。
【００７８】
そして、弾性画像１１１のうち、マスク領域における組織１１２を切り出して、切り出された組織の弾性情報を平均化して弾性マーク１０１が作成される。また、弾性マークは円形にする必要はなく、腫瘍の分布情報を用いて形状をも表現して表示することもできる。
【００７９】
このような表示を行うことにより、生体模擬画像を介して、弾性画像の取得断層部位における設定された領域の関心組織の弾性情報を簡便に把握することができる。
【００８０】
また、例えば、検査者が被検体に対して一通り弾性画像の撮像を行って、弾性マークが重畳された生体模擬画像が記録されていれば、診断者がこれを参照した際に、被検体のどの部位を詳細に検査すべきかを容易に判断することができる。つまり、弾性マークは例えば色相、或いは数値などで階調化されたシンプルなマークとして表されているので、生体模擬画像上で比較的硬くて病変組織が存在している可能性のある箇所を一見して把握できる。そして、必要に応じて再び超音波撮像をするなどして詳細に検査して診断及び治療方針の決定などを行うことができる。
【００８１】
（表示の第４実施例）
本実施例は、生体模擬画像上に重畳された弾性マークを介して、その弾性マークを生成する基となった弾性画像を表示する例である。本実施例では、生体模擬画像８５に弾性マーク１０１が重畳されるとともに、各弾性マークに対応する弾性画像が、それぞれ各弾性マーク１０１に関連付けてメモリに記録されていることを前提としている。
【００８２】
図１３は、表示の第３実施例で生成された生体模擬画像を検査者が超音波撮像中に参照している状態や、検査されてメモリに記録された後に、診断者などが参照している状態を想定している。例えば、マウス、キーボード、トラックボール、画面のタッチセンサなどのインターフェースを介して診断者などが任意の弾性画像取得マークを選択したら、選択されたマークに関連付けられた弾性画像がメモリから呼び出されて弾性画像表示１２０がなされる。
【００８３】
本実施例によれば、例えば、診断者が一旦メモリに記録された後、表示されて生体模擬画像を参照しながら、注目する弾性画像取得マークを選択すれば、その断層箇所における弾性画像を参照することができる。このように、診断者に対して多面的に情報を提供することにより、診断者は、表示された生体模擬画像及び弾性マークを参照しながら、被検体の全体的な腫瘍の状況などを判断しながら、かつ弾性画像を呼び出して注目する箇所を詳細に参照して診断を行ったり、治療方針を決定したりすることができる。
【００８４】
なお、本実施例の弾性画像の呼び出しと、表示の第２実施例で示した圧力状態の呼び出しを適宜組み合わせて表示してもよい。
【００８５】
（表示の第５実施例）
本実施例は、生体模擬画像上に弾性マークをグラデーション状に表示する例である。すなわち、弾性マークを表示する際に、２つもしくはそれ以上の箇所にて検出された場合には、内部にある対象が連続している可能性が高い。そのため、図１４に示すように、２点間の弾性度とそれらの距離の情報をもちいることでグラデーションをもってそれを表現することが可能である。
【００８６】
例えば、検査者が検査をおこなって連続した対象（腫瘍）であると判断した際には、２点間をグラデーションで表し、連続性を表示することができる。これにより圧迫を繰り返さずにでもカルテ情報に反映できるので検査時間の短縮に有効である。
【００８７】
（表示の第６実施例）
本実施例は、生成された弾性マークのうち、あらかじめ設定された閾値以上、閾値未満、又は閾値範囲内で階調化された弾性マークのみを表示する例である。すなわち、例えば図１５に示すように、弾性スケールバー１０２などを用いて、閾値をあらかじめ設定したり、又は検査者、診断者が任意に設定・調整可能なように構成したりすることで、検査者・診断者が必要な情報だけを生体模擬画像上に表示させることができる。また、この閾値を、検査部位毎に自動的に設定させることも可能である。
【００８８】
これによれば、例えば、弾性マークのうち、所定の閾値より硬い、つまり病変の可能性があり詳細な検査が必要な弾性マークのみを表示することができるので、検査者・診断者は真に必要な情報だけを参照して、診断及び治療方針の決定などを行うことができる。生体模擬画像及び弾性マークの表示は、被検体の組織弾性などの情報を簡易的に検査者・診断者に提供するものであるので、情報量が多すぎても実用的でない場合があるので、このような場合に本実施例は有効である。    
（表示の第７実施例）
本実施例は、３次元で生成された生体模擬画像上に、弾性マークを表示する例である。すなわち、図１６（ａ）に示すように、３次元に生成された生体模擬画像８５上に、弾性画像が取得されたときの被検体の断層部位の位置情報、及び被検体の断層部位における表面からの深度情報を考慮して、弾性マーク１０１を重畳して表示することができる。
【００８９】
また、図１６（ｂ）に示すように、これに併せて弾性画像が取得されたときの超音波探触子の被検体に対する接触表面位置を示す圧迫マーク１５０を重畳して表示したりすることができる。
【００９０】
これによれば、超音波送受信部からの深さ情報をカルテにイラスト情報で残せることが可能となる。例えば、２次元情報では難しい深度方向に癌の浸潤が見られるような症例においては、３次元でそれを腫瘍の弾性マークとして表現することができるので、検査後に把握しやすい点で有効である。
【００９１】
また、例えば、内臓系の診断においては、弾性マークを付記した位置は、どの圧迫位置から得られた画像であるかが診断において重要になる場合がある。その際には体表上に圧迫マーク１５０を付与するとともに、内部に弾性マーク１０１を付与して同時に表示することで、圧迫箇所と画像の関係を簡単に結びつけることが可能となる。
【００９２】
３次元の生体模擬イラストであっても多くの検査位置がある場合には乱雑になり、表示として見難くなることも予想されるため、２次元の生体模擬画像で選択された圧迫位置、腫瘍位置のペアのみ３次元生体模擬画像上で表示したり、又は色分け、斜線等を用いてその組合せを表現したりしてもても良い。
【００９３】
（表示の第８実施例）
本実施例は、生体模擬画像上に、模擬マークに加えて、血流マークを重畳して表示する例であり、超音波探触子で計測された反射エコー信号に基づいて血流情報を求め、被検体の断層部位の血流速度に応じて階調化された血流マークを生成する血流マーク生成手段を備えていることを前提とする。
【００９４】
すなわち、公知のドップラー効果を用いた手法により、血流の速さもしくは豊富さを検出するとともに、検出結果に応じて階調化された血流マークを生成することができる。そして、図１７に示すように、この血流マーク１６０を弾性マーク１０１より小さい円形にして、弾性マーク１０１の上に併せて表示することができる。また、併せて血流の速さもしくは豊富さの度合いを示す血流スケールバー１６１を表示することができる。
【００９５】
例えば、悪性腫瘍は周辺組織から血を吸収し成長する傾向にある。よって血流情報と弾性情報を生体模擬画像上に同時に表示し、カルテ情報として用いることは診断精度・診断効率の向上に結びつけることが可能と考えられる。
【００９６】
なお、血流マーク１６０は星印、弾性マーク１０１は丸印の様に、両者を区別して認識し易いようにすることができる。また、血流マークは白黒階調、弾性マークはカラー階調というように両者を区別して視認性を向上させることができる。また、血流マークと弾性マークが重なった部分だけ生体イラスト上に表示してもよい。
【００９７】
（表示の第９実施例）
本実施例は、過去に超音波撮像されて弾性画像が取得された被検体に対して、再検査を行う場合に、検査者に対して、過去に弾性画像が取得された箇所（弾性情報が記録された位置）を知らせる例である。
【００９８】
すなわち、まず、被検体の例えば乳頭などの特定位置を基準にしてキャリブレーションを行って位置合わせをした上で超音波検査を行う。そして、図１８に示すように、過去に弾性画像が取得された箇所に超音波探触子が移動されたら（弾性マーク１０１の位置と探触子位置を示す探触子マーク１７０とが重なったら）、画像表示器２６に、「ＰＵＳＨ」などの表示を行って、検査者に弾性画像の取得動作を行うよう促すことができる。また、その際に、過去に取得された弾性画像を併せて表示してもよい。
【００９９】
このように、検査者に対して弾性画像を取得すべき箇所を提示することで、検査者の負担を軽減して検査の効率を高めることができる。また、その際に、弾性画像が取得されたときの圧力条件などを併せて表示して再現性を向上させることもできる。
【０１００】
以上、本発明の超音波診断装置の実施形態について説明したが、本発明は、乳房に限らず、例えば、甲状腺、肝臓、前立腺など超音波画像診断が可能な箇所に適用することができる。
【図面の簡単な説明】
【０１０１】
【図１】本実施形態の超音波診断装置の全体構成を示すブロック図である。
【図２】組織変位検出の第１実施例を説明するための図である。
【図３】組織変位検出の第２実施例を説明するための図である。
【図４】組織変位検出の第３実施例を説明するための図である。
【図５】組織変位検出の第４実施例を説明するための図である。
【図６】組織変位検出の第５実施例を説明するための図である。
【図７】超音波診断装置の全体動作、及び弾性画像取得マークを生成して生体模擬画像上に重畳表示する動作のフローチャートである。
【図８】表示の第１実施例を説明するための図である。
【図９】表示の第２実施例を説明するための図である。
【図１０】超音波診断装置の全体動作、及び弾性マークを生成して生体模擬画像上に重畳表示する動作のフローチャートである。
【図１１】表示の第３実施例を説明するための図である。
【図１２】弾性マークの生成手法を詳細に説明するための図である。
【図１３】表示の第４実施例を説明するための図である。
【図１４】表示の第５実施例を説明するための図である。
【図１５】表示の第６実施例を説明するための図である。
【図１６】表示の第７実施例を説明するための図である。
【図１７】表示の第８実施例を説明するための図である。
【図１８】表示の第９実施例を説明するための図である。
【符号の説明】
【０１０２】
１  超音波診断装置
１０  被検体
１２  超音波探触子
１８  整相加算部
２０  断層画像構成部
２８  ＲＦフレームデータ選択部
３０  変位計測部
３２  弾性情報演算部
３４  弾性画像構成部
４２  インターフェース部
４８  位置情報センサ
５０  座標演算部
５１  組織変位検出部
５２  マーク作成部
５４  生体模擬画像構成部
５６  メモリ
６５，６６  追跡点
６７  変位の計測値
７０，７１  ＲＦ信号フレームデータ
７３  圧力の計測値
７４  組織変位検出スイッチ
８５  生体模擬画像
８６  弾性画像取得マーク
８７  圧力状態表示
１０１  弾性マーク
１０２  弾性スケールバー
１５０  圧迫マーク
１６０  血流マーク
１６１  血流スケールバー
【図１】
0005199690.tif 000002
【図２】
0005199690.tif 000003
【図３】
0005199690.tif 000004
【図４】
0005199690.tif 000005
【図５】
0005199690.tif 000006
【図６】
0005199690.tif 000007
【図７】
0005199690.tif 000008
【図８】
0005199690.tif 000009
【図９】
0005199690.tif 000010
【図１０】
0005199690.tif 000011
【図１１】
0005199690.tif 000012
【図１２】
0005199690.tif 000013
【図１３】
0005199690.tif 000014
【図１４】
0005199690.tif 000015
【図１５】
0005199690.tif 000016
【図１６】
0005199690.tif 000017
【図１７】
0005199690.tif 000018
【図１８】
0005199690.tif 000019